【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
媒体読取装置による読取りおよび適切な処理の結果として、該媒体読取装置が、画像表示装置のためのビデオ出力信号を生成するようになし、該ビデオ出力信号が、表示されるに際して、ディスプレイ画面の異なる複数のセクション中に表示される複数のシーンのモザイクをもたらすような、モザイクビデオデータの集合を包含する少なくとも１つのタイトルを含む機械読取り可能な媒体であって、
当該媒体は、前記モザイクビデオデータに付随させられた、機械により実行可能なアプリケーションを表すデータをさらに含み、
前記アプリケーションは、表示に際して複数のシーンの前記モザイクと重畳させられるグラフィック層をもたらすような前記ビデオ出力信号のグラフィック成分を、前記媒体読取装置に生成させる、機械により実行可能な前記媒体読取装置用の命令を含んでおり、
前記グラフィック層は、少なくとも部分的に透明であり、前記ディスプレイ画面の前記セクションのうちの１つと整列させられる、第１のグラフィック部分を含んでおり、
前記グラフィック層は、完全不透明であり、前記ディスプレイ画面の残りのすべての前記セクションと整列させられる、第２のグラフィック部分を含んでいることを特徴とする媒体。
【請求項２】
当該情報担体が、光ディスク、好ましくはＢＤ−Ｊフォーマットに準拠する光ディスクであって、
前記媒体読取装置が、ディスクドライブを含んでいることを特徴とする請求項１記載の媒体。
【請求項３】
機械により実行可能な前記アプリケーションが、少なくとも２つのタイトルに共通のアプリケーションであることを特徴とする請求項１または２記載の媒体。
【請求項４】
異なるタイトルが、別個のアプリケーションを含んでいることを特徴とする請求項１または２記載の媒体。
【請求項５】
前記アプリケーションが自己開始型のアプリケーションであることを特徴とする請求項１から４いずれか１項記載の媒体。
【請求項６】
前記グラフィック層の前記第２のグラフィック部分が、該グラフィック層の前記第１のグラフィック部分と整列させられている前記画面セクションに表示されているシーンに関連する、テキスト項目をさらに含んでいることを特徴とする請求項１から５いずれか１項記載の媒体。
【請求項７】
前記アプリケーションは、前記グラフィック層の前記第１のグラフィック部分の位置を、別の前記画面セクションと一致するように設定する機能を有することを特徴とする請求項１から６いずれか１項記載の媒体。
【請求項８】
前記アプリケーションは、ユーザーコマンドの受信に応答して、前記グラフィック層の前記第１のグラフィック部分の位置を設定する機能を有することを特徴とする請求項７記載の媒体。
【請求項９】
前記アプリケーションは、前記モザイクビデオデータ内に含まれるトリガ信号の受信に応答して、前記グラフィック層の前記第１のグラフィック部分の位置を設定する機能を有することを特徴とする請求項７記載の媒体。
【請求項１０】
前記アプリケーションは、ユーザープロフィールを表すデータに基づいて、前記グラフィック層の前記第１のグラフィック部分の位置を設定する機能を有することを特徴とする請求項７記載の媒体。
【請求項１１】
前記タイトルが、第１のタイプのモザイクをもたらすビデオデータの第１の部分と、該第１のタイプのモザイクとは異なる第２のタイプのモザイクをもたらすビデオデータの後続部分とを含んでおり、
前記アプリケーションは、前記第１のタイプのモザイクから前記第２のタイプのモザイクへの移行と同期させて、前記グラフィック層を適合化するように設計されていることを特徴とする請求項７記載の媒体。
【請求項１２】
前記タイトルが、第１のシーン数のモザイクをもたらすビデオデータの第１の部分と、該第１のシーン数とは異なる第２のシーン数のモザイクをもたらすビデオデータの後続部分とを含んでいることを特徴とする請求項１１記載の媒体。
【請求項１３】
前記タイトルが、画面セクションの第１の集合内に表示される、あるシーン数のモザイクをもたらすビデオデータの第１の部分と、前記第１の集合の前記画面セクションとは異なる画面セクションの第２の集合内に表示される、同一のシーン数のモザイクをもたらすビデオデータの後続部分とを、含んでいることを特徴とする請求項１１記載の媒体。
【請求項１４】
前記タイトルがさらに、複数のシーンに共通のオーディオデータを含んでいることを特徴とする請求項１から１３いずれか１項記載の媒体。
【請求項１５】
前記タイトルがさらに、それぞれ前記複数のシーンの１つに対応する、複数のオーディオデータを含んでおり、
前記アプリケーションは、前記媒体読取装置が、前記複数のオーディオデータのうち、透明な前記第１のグラフィック部分を介して視認可能とされている画像に対応する一のオーディオデータに基づいて、オーディオ出力信号を生成するようになす、該媒体読取装置用の命令を含んでいることを特徴とする請求項１から１３いずれか１項記載の媒体。
【請求項１６】
前記タイトルがさらに、それぞれ前記複数のシーンの１つに対応する、複数のテキストデータを含んでおり、
前記アプリケーションは、前記媒体読取装置が、前記複数のテキストデータのうち、透明な前記第１のグラフィック部分を介して視認可能とされている画像に対応する一のテキストデータに基づいて、テキスト信号を生成するようになす、該媒体読取装置用の命令を含んでおり、該テキストは、不透明な前記第２のグラフィック部分上に表示されることを特徴とする請求項１から１３いずれか１項記載の媒体。
【請求項１７】
媒体読取装置が画像表示装置用のビデオ出力信号の成分を生成するようになす、機械により実行可能な前記媒体読取装置用の命令を含み、前記信号が、表示されるに際して、前記ビデオ出力信号により生成されるビデオ画像と重畳させられるグラフィック層をもたらすような、ビデオデータ処理アプリケーションであって、
前記グラフィック層は、少なくとも部分的に透明であり、前記画像表示装置の第１のセクションと整列させられる、第１の部分を含んでおり、
前記グラフィック層は、完全不透明であり、前記画像処理装置の残りのすべてのセクションと整列させられる、第２の部分を含んでいることを特徴とするアプリケーション。
【請求項１８】
前記グラフィック層の前記第２の部分が、該グラフィック層の前記第１の部分と整列させられている前記画面セクションに表示されているシーンに関連する、テキスト項目をさらに含んでいることを特徴とする請求項１７記載のアプリケーション。
【請求項１９】
前記グラフィック層の前記第１の部分の位置を、別の前記画面セクションと一致するように設定する機能を有することを特徴とする請求項１７または１８記載のアプリケーション。
【請求項２０】
ユーザーコマンドの受信に応答して、前記グラフィック層の前記第１の部分の位置を設定する機能を有することを特徴とする請求項１９記載のアプリケーション。
【請求項２１】
前記媒体読取装置により受信されるビデオデータ内に含まれるトリガ信号の受信に応答して、前記グラフィック層の前記第１の部分の位置を設定する機能を有することを特徴とする請求項１９記載のアプリケーション。
【請求項２２】
ユーザープロフィールを表すデータに基づいて、前記グラフィック層の前記第１の部分の位置を設定する機能を有することを特徴とする請求項１９記載のアプリケーション。
【請求項２３】
前記媒体読取装置により受信されるビデオデータの変化に応じて、該変化と同期させて、前記グラフィック層を適合化するように設計されていることを特徴とする請求項１９記載のアプリケーション。
【請求項２４】
複数のシーンのうちの一のシーンの表示位置を変更し、該変更に応じて、前記グラフィック層の前記第１の部分の位置を、前記一のシーンの新たな表示位置と整列させられるように変更するよう設計されていることを特徴とする請求項１９記載のアプリケーション。
【請求項２５】
複数のシーンのうちの一のシーンの表示サイズを変更し、該変更に応じて、前記グラフィック層の前記第１の部分のサイズを変更するよう設計されていることを特徴とする請求項１９記載のアプリケーション。
【請求項２６】
データ処理ソフトウェアを保存するための動作メモリを有し、該動作メモリが、請求項１７から２５いずれか１項記載のビデオデータ処理アプリケーションを含んでいることを特徴とするディスクドライブ。
【請求項２７】
ディスプレイ画面上にビデオ表示を生成する方法であって、
表示に際して、前記ディスプレイ画面の異なる複数のセクション中に複数のシーンのモザイクが表示されるようになす、前記ディスプレイ画面用のビデオ出力信号を生成する工程と、
表示に際して、少なくとも部分的に透明であり、前記ディスプレイ画面の前記セクションのうちの１つと整列させられる、第１のグラフィック部分と、完全不透明であり、前記ディスプレイ画面の残りのすべての前記セクションと整列させられる、第２のグラフィック部分とを含むグラフィック層をもたらすような、前記ディスプレイ画面用のグラフィック出力信号を生成する工程と、
前記複数のシーンのモザイクに、前記グラフィック層が重畳させられるように、前記グラフィック出力信号を、前記ビデオ出力信号と組み合わせる工程とを含むことを特徴とする方法。
【請求項２８】
前記複数のシーンのうちの一のシーンを選択する工程と、
前記第１のグラフィック部分の位置が、選択された前記一のシーンに対応する前記ディスプレイ画面の前記セクションと整列させられるように、該第１のグラフィック部分を設定する工程とをさらに含むことを特徴とする請求項２７記載の方法。
【請求項２９】
それぞれ前記複数のシーンの１つに対応する、複数のオーディオデータを生成する工程と、
前記複数のシーンのうちの一のシーンを選択する工程と、
前記複数のオーディオデータのうちの対応の一のオーディオデータを選択する工程と、
選択された前記一のオーディオデータに基づいて、サウンドディスプレイのためのオーディオ信号を生成する工程とをさらに含むことを特徴とする請求項２７または２８記載の方法。